(57)【要約】      （修正有）【課題】室内・屋内で飼う犬猫の尿漏れ、糞漏れ、生理等で発生する飼い主の精神的不安・肉体的疲労の軽減のためのペット用衣服を提供する。【解決手段】体にフィットし動きを妨げない衣服として、伸縮性の大きい素材を使用、着脱に面ファスナー５〜８を使用、背中の中央部は開けて体内に熱が籠らないカッティングを採用、縁回り１２をポリウレタン入りの素材で巻き体に沿う構造にした。それで長時間の装着にもストレスを受けなくなり、自ら脱ぐことはなくなる。メッシュを縫い付けた部分９に用途に応じた使い捨て尿漏れパット、生理用パットを固定させ対処し、衣服の構造は糞漏れを防ぐ形状とし室内・屋内の汚れが少なくなる。紙おむつの上に穿くおむつカバーとしても使用できる。【選択図】図１
0003172784.tif 000002
【実用新案登録請求の範囲】
【請求項１】
伸縮性の大きい素材を本体に使用し、体温を放出するよう背中中央部を開放し、縁周りにはポリウレタン入りの素材を巻き、首及び腰をマジックテープで調整しながら下腹部を包み込み体にフィットさせて自力で脱げない、シャツ部とパンツ部がつながったペット用ボディーフィット・マナーロンパス
【請求項２】
股間部に尿取りパット或は生理用パットを装着し、尿漏れ、生理による汚れを防止し、尻尾の付け根のサイズを調整し糞がこぼれ落ち難いペット用ボディーフィット・マナーロンパス
【請求項３】
紙おむつを装着した上におむつカバーとして機能するペット用ボディーフィット・マナーロンパス
【考案の詳細な説明】
【技術分野】
【０００１】本考案は犬・猫（以下、「ペット」という）を室内及び屋内で飼う為に発生する汚損に関するものである。
【背景技術】
【０００２】ペットの尿漏れ、生理、糞漏れ対策には、パットを利用した尿漏れ防止ベルト、パットを利用した生理用パンツ、紙おむつ等が存在しているが、個々に対応しているものである。且つ短時間対応のものがほとんどであり、長時間の様々な体の動きに対応しきれないものである。
【先行技術文献】
【特許文献】
【０００３】
【特許文献１】登録実用新案第３０８２８５２号
【特許文献２】登録実用新案第３０９４８６０号
【特許文献３】登録実用新案第３１１３５７３号
【特許文献４】登録実用新案第３１２０３７８号
【特許文献５】特許公開２００６−５５０１１
【特許文献６】特許公開２００７−１６７０２６
【特許文献７】特許公開２０１１−１０９９４６
【考案の概要】
【考案が解決しようとする課題】
【０００４】そこで本件の解決しようとする課題は、ペットに無理なく服を着せられ、ペットがストレスを感じることなく、長時間着用できること。
衣類が脱げず、装着されたパットがずれて起こる糞尿生理の汚れによる室内の掃除などから飼い主を解放することである。
【課題を解決するための手段】
【０００５】第一考案は、伸縮性のある素材を使用しペットの前足２本後足２本を通す穴を下身頃と上身頃の間に作り、下腹部が前後左右に移動しない構造にした。下身頃と上身頃をつなぎ、上身頃の首の後部と腰の後部でマジックテープ（その他釦等使用可能）を留める構造にし上下に移動しないよう考案した。
第二考案は、背中の中央部を開け、廻りをポリウレタン入りの素材で巻き、体に沿うよう考案した。
第三考案は、第一考案の本体下身頃に、前足脇下より尻尾の付根までメッシュ素材を縫付け、尿漏れパットは脇下方向から装着できるよう、生理用パットは尻尾方向からも装着できる構造にした。
第四考案は、尻尾の付根部分は尻尾にフィットさせる大きさに設定し、腰部分のマジックテープで尻尾廻りの長さを調整できる構造にした。
【考案の効果】
【０００６】第一考案により、自分の意志で服を脱ぐことはできなくなった
第二考案により、無理なく体にフィットし、装着したパットが動きにくくなった。
第三考案により、雄雌の尿漏れ、生理汚れに両方に対応できるようになった。
第四考案により、糞漏れを防ぐことができ、室内を清潔に保てるようになり、紙おむつを包み込むおむつカバーの役割も果たせた。
【図面の簡単な説明】
【０００７】
【図１】この考案の展開図である。
【図２】尿漏れパットの挿入の展開図である。
【図３】生理用パットの挿入の展開図である。
【図４】ペットに装着させたときの側面図である。
【図５】ペットに装着させたときの背面図である。
【符号の説明】
【０００８】１、前足用左穴
２、前足用右穴
３、後足用左穴
４、後足用右穴
５、首回り打ち合わせ上前部分（マジックテープ）
６、首回り打ち合わせ下前部分（マジックテープ）
７、腰回り打ち合わせ上前部分（マジックテープ）
８、腰回り打ち合わせ下前部分（マジックテープ）
９、メッシュ張りあわせ部分
１０、パット入口上部
１１、パット入口下部
１２、縁回りバイヤス部分
１３、尻尾下部
１４、尿漏れパット
１５、生理用パット
１６、背中中央部
１７、尻尾廻り部
【図１】
0003172784.tif 000003
【図２】
0003172784.tif 000004
【図３】
0003172784.tif 000005
【図４】
0003172784.tif 000006
【図５】
0003172784.tif 000007
【手続補正書】
【提出日】平成23年10月17日(2011.10.17)
【手続補正１】
【補正対象書類名】実用新案登録請求の範囲
【補正対象項目名】全文
【補正方法】変更
【補正の内容】
【実用新案登録請求の範囲】
【請求項１】
伸縮性の大きい素材を使用した上身頃及び下身頃とメッシュ素材を使用した股布部からなり、股布部の内側に尿漏れパット或いは生理用パットを装着出来るペット用ボディーフィット・マナーロンパスであって、
下身頃と上身頃の間に前足２本及び後足２本を通す４個の穴を備え、上身頃の首の後部に首廻りの長さの調整が可能な面ファスナー（その他釦等使用可能）を備え、上身頃の腰の後部に腰廻り及び尻尾廻りの長さを調整可能な面ファスナー（その他釦等使用可能）を備えることを特徴とするペット用ボディーフィット・マナーロンパス。
【請求項２】
背中の中央部を大きく開け、本体廻り及び４つの足口廻りは伸縮自在なポリウレタン入り素材（スパンフライス或はスパンテレコ等可能）で巻かれており、股下の内側に尿漏れパット或いは生理用パットを挿入する開口部を、パット入口上部及びパット入口下部に設けたメッシュ素材の股布を備えていることを特徴とする請求項１記載のペット用ボディーフィット・マナーロンパス。
【手続補正３】
【補正対象書類名】明細書
【補正対象項目名】０００５
【補正方法】変更
【補正の内容】
【０００５】  伸縮性の大きい素材を使用した上身頃及び下身頃とメッシュ素材を使用した股布部からなり、股布部の内側に尿漏れパット或いは生理用パットを装着出来るペット用ボディーフィット・マナーロンパスであって、下身頃と上身頃の間に前足２本及び後足２本を通す４個の穴を備え、上身頃の首の後部に首廻りの長さの調整が可能な面ファスナー（その他釦等使用可能）を備え、上身頃の腰の後部に腰廻り及び尻尾廻りの長さを調整可能な面ファスナー（その他釦等使用可能）を備えることを特徴とする。
また本考案において、背中の中央部は大きく開けられ、本体廻り及び４つの足口廻りは伸縮自在なポリウレタン入り素材（スパンフライス或はスパンテレコ等可能）で巻かれており、股下の内側に尿漏れパット或いは生理用パットを挿入する開口部を、パット入口上部及びパット入口下部に設けたメッシュ素材の股布を備えていることを特徴とする請求項１記載のペット用ボディーフィット・マナーロンパス。
【手続補正４】
【補正対象書類名】明細書
【補正対象項目名】０００６
【補正方法】変更
【補正の内容】
【０００６】本発明は、上記構成により以下の効果を奏する。
背中部を全開した状態で前足及び後足を通し、首廻り及び腰廻りを体にフィットする様に綿テープを調整装着するため無理なく服を着せることが出来きる。
下腹部は前後左右に移動しない構造を持ち、上下もペットの首及び腰廻りのサイズに調整可能であり、伸縮自在な素材が体の廻及び足廻りに密着し、ペットの意志による激しい動きでも服が脱げることはない
大きく開口した背中の構造により通気性がよく、ペットの体温が上がらす、衣服と体の間に湿気が籠らない構造であり、長い時間の着用にもペットがストレスを感じない。
メッシュ素材の股布の内側には、吸収パットが装着でき、尿漏れ及び生理の汚損をパットで回避できる。面ファスナーで尻尾廻りの調整により糞の落ちこぼれも防止できる。
紙おむつを装着した上に重ねて着用すれば、おむつカバーとしての機能を持っている。
室内でペットを飼う人にとって、糞尿漏れによる汚損を防止でき、精神的不安と肉体的負担を軽減できる。
【手続補正５】
【補正対象書類名】明細書
【補正対象項目名】０００７
【補正方法】変更
【補正の内容】
【０００７】
【図１】この考案の上から見た全開図である。
【図２】尿漏れパットを挿入した時の上から見た全開図である。
【図３】生理用パットを挿入した時の上から見た全開図である。
【図４】ペットに装着させたときの側面図である。
【図５】ペットに装着させたときの後ろから見た斜面図である。
【手続補正６】
【補正対象書類名】明細書
【補正対象項目名】０００８
【補正方法】変更
【補正の内容】
【０００８】１、前足用左穴
２、前足用右穴
３、後足用左穴
４、後足用右穴
５、首回り打ち合わせ上前部分（面ファスナー）
６、首回り打ち合わせ下前部分（面ファスナー）
７、腰回り打ち合わせ上前部分（面ファスナー）
８、腰回り打ち合わせ下前部分（面ファスナー）
９、メッシュ張りあわせ部分
１０、パット入口上部
１１、パット入口下部
１２、縁回りバイヤス部分
１３、尻尾下部
１４、尿漏れパット
１５、生理用パット
１６、背中中央部
１７、尻尾廻り部